(57)【要約】【課題】  ロールの繰出し部分が引張られない非切断時には刃体を隠蔽することができ、切断時にはロールの繰出し部分が引張られることにより、ロールの長手方向とほぼ直交する直線に切断することができるようにする。【解決手段】  支持部３ａに支持されたロール２の繰出し部分２ａの粘着面側に、繰出し部分２ａの厚さ方向へ直線移動が自在の移動体４を設け、刃部５ａの長手方向が繰出し部分２ａの厚さ方向となるように繰出し部分２ａの幅方向一側に刃体５を設け、該刃体５の刃部５ａの長手方向一側を揺動自在に枢支し、該刃体５の揺動中心と偏倚した位置を、移動体４の直線移動に連動して刃体５を繰出し部分と離反した位置から繰出し部分２ａ側へ揺動させるように移動体４に連動連結した。【選択図】        図１
2006289550.tif 000002
【特許請求の範囲】
【請求項１】
粘着テープのロールが回転自在に支持される支持部及び前記ロールの繰出し部分を切断する刃体を有するテープ切断具において、前記繰出し部分の粘着面が接触し、前記繰出し部分が繰出し方向と交差する方向へ引張られることにより移動が可能な移動体を備えており、前記刃体は、前記移動体の移動に連動して移動が可能であることを特徴とするテープ切断具。
【請求項２】
前記移動体又は前記刃体を前記移動体及び刃体が復帰する方向へ付勢する付勢ばねを有する請求項１記載のテープ切断具。
【請求項３】
前記移動体は直線移動が自在であり、前記刃体は揺動が自在に枢支されており、該刃体の揺動中心と偏倚した位置を前記移動体に連動連結してある請求項１又は２記載のテープ切断具。
【請求項４】
前記移動体は前記繰出し部分の粘着面側で前記繰出し部分の厚さ方向へ直線移動が自在であり、前記刃体は刃部の長手方向が前記繰出し部分の厚さ方向となるように前記繰出し部分の幅方向一側に配置され、且つ前記刃部の長手方向一側が揺動自在に枢支されており、該刃体の揺動中心と偏倚した位置を、前記移動体の後退／復帰移動に連動して前記刃体を前記繰出し部分と離反した位置から前記繰出し部分と接離する方向へ揺動させるように、前記移動体に連動連結してある請求項１又は２記載のテープ切断具。
【請求項５】
前記刃体を収容し、該刃体の刃部を隠蔽する収容部を有する請求項１乃至４のいずれかひとつに記載のテープ切断具。
【請求項６】
粘着テープの環状のロールの内側に嵌入されるテープ保持具において、両端に前記ロールの内側に接触すべき接触部を有し、長手方向の中央部に軸部又は貫通孔を有する柱形をなしていることを特徴とするテープ保持具。
【発明の詳細な説明】
【技術分野】
【０００１】
本発明は粘着テープのロールの繰出し部分を切断する刃体を有するテープ切断具、及び粘着テープの環状のロールを保持するテープ保持具に関する。
【背景技術】
【０００２】
セロファンテープ等の粘着テープのロールを保持するテープ保持具は、外周面を台形円錐形とし、中心部に回転支点軸を有しており、外周面の小径側から環状のロールの内側に嵌入することによりテープを保持するように構成されている。
【０００３】
また、テープ切断具は、前記回転支点軸が嵌合され、テープ保持具を支持する支持部と、該支持部と離隔した位置で上向きに配置された刃体とを有しており、ロールの繰出し部分を前記刃体の上側で繰出し方向へ引張り、適宜のテープ長さ位置で前記繰出し部分を刃体に押しつけつつ引張ることにより繰出し部分を切断することができるように構成されている（例えば、特許文献１参照。）。
【特許文献１】特開２００５−０６７８０７号公報
【発明の開示】
【発明が解決しようとする課題】
【０００４】
ところが、従来のテープ切断具は、刃体が外部に剥き出しになっており、しかも、鋸刃状の刃部が上向になっているため、比較的スペースの狭いテーブル等に載置して使用される場合、不測に刃体に当たる危険性が高く、改善策が要望されていた。また、テープ保持具は外周面を台形円錐形とし、内径が異なるロールであっても嵌入保持することができるようになっているため、テープ保持具の外周面に沿ってロールがすべり易く、該ロールがテープ保持具から外れ易いと言う問題があった。
【０００５】
本発明は斯かる事情に鑑みてなされたものであり、主たる目的はロールの繰出し部分が繰出し方向と交差する方向へ引張られることにより移動が可能な移動体、及び該移動体の移動に連動して移動が可能な刃体を備える構成とすることにより、ロールの繰出し部分が引張られない非切断時には刃体を非剥き出しとなる位置に配することができ、切断時にはロールの繰出し部分が引張られることにより、刃体が移動しつつロールの繰出し部分を、テープの長手方向とほぼ直交する直線に切断することができるテープ切断具を提供することにある。
【０００６】
また、他の目的は移動体又は刃体を付勢する付勢ばねを設けることにより、ロールの繰出し部分が切断された後、移動体及び刃体を連動して非切断位置へ自動的に復帰させることができるテープ切断具を提供することにある。
【０００７】
また、他の目的は移動体を直線移動が自在とし、刃体を揺動が自在に枢支し、該刃体の揺動中心と偏倚した位置を前記移動体に連動連結することにより、刃体の刃部の長さを比較的短くすることができるテープ切断具を提供することにある。
【０００８】
また、他の目的は移動体を繰出し部分の粘着面側で繰出し部分の厚さ方向へ直線移動が自在とし、刃体を刃部の長手方向が繰出し部分の厚さ方向となるように繰出し部分の幅方向一側に配置し、且つ刃部の長手方向一側を揺動自在に枢支し、該刃体の揺動中心と偏倚した位置を、移動体の後退／復帰移動に連動して刃体を繰出し部分と離反した位置から繰出し部分と接離する方向へ揺動させるように、移動体に連動連結することにより、刃体を操作することなく粘着テープの繰出し部分を引張る操作を行うことにより適宜の長さに切断することができるテープ切断具を提供することにある。
【０００９】
また、他の目的は刃体を収容し、該刃体の刃部を隠蔽する収容部を設けることにより、刃部の全体を隠蔽することができるテープ切断具を提供することにある。
【００１０】
また、他の目的は環状のロールの内側に嵌入されるテープ保持具を、両端にロールの内側に接触すべき接触部を有し、中央部に軸部又は貫通孔を有する柱形をなす構成とすることにより、内径が異なるロールであっても該ロールの保持力を高めることができるテープ保持具を提供することにある。
【課題を解決するための手段】
【００１１】
第１発明に係るテープ切断具は、粘着テープのロールが回転自在に支持される支持部及び前記ロールの繰出し部分を切断する刃体を有するテープ切断具において、前記繰出し部分の粘着面が接触し、前記繰出し部分が繰出し方向と交差する方向へ引張られることにより移動が可能な移動体を備えており、前記刃体は、前記移動体の移動に連動して移動が可能であることを特徴とする。
【００１２】
第１発明にあっては、ロールの繰出し部分が繰出し方向と交差する方向へ引張られることにより移動体が移動し、該移動体に連動して刃体が移動するため、ロールの繰出し部分が引張られない非切断時には刃体を非剥き出しにすることができる。また、切断時にはロールの繰出し部分が引張られることにより、移動体が移動し、該移動体に連動して刃体が移動し、該刃体が移動しつつロールの繰出し部分を、テープの長手方向とほぼ直交する直線に切断することができる。
【００１３】
第２発明に係るテープ切断具は、前記移動体又は前記刃体を前記移動体及び刃体が復帰する方向へ付勢する付勢ばねを有することを特徴とする。
【００１４】
第２発明にあっては、ロールの繰出し部分が切断されて、テープの引張力が移動体に加わらなくなったとき、移動体及び刃体を連動して非切断位置へ自動的に復帰させることができる。
【００１５】
第３発明に係るテープ切断具は、前記移動体は直線移動が自在であり、前記刃体は揺動が自在に枢支されており、該刃体の揺動中心と偏倚した位置を前記移動体に連動連結してあることを特徴とする。
【００１６】
第３発明にあっては、ロールの繰出し部分が繰出し方向と交差する方向へ引張られることにより移動体が直線移動しつつ刃体が揺動するため、刃体の刃部の長さを比較的短くすることができる。
【００１７】
第４発明に係るテープ切断具は、前記移動体は前記繰出し部分の粘着面側で前記繰出し部分の厚さ方向へ直線移動が自在であり、前記刃体は刃部の長手方向が前記繰出し部分の厚さ方向となるように前記繰出し部分の幅方向一側に配置され、且つ前記刃部の長手方向一側が揺動自在に枢支されており、該刃体の揺動中心と偏倚した位置を、前記移動体の後退／復帰移動に連動して前記刃体を前記繰出し部分と離反した位置から前記繰出し部分と接離する方向へ揺動させるように、前記移動体に連動連結してあることを特徴とする。
【００１８】
第４発明にあっては、刃体を操作することなく粘着テープの繰出し部分を引張る操作を行うことにより繰出し部分と離反した位置から繰出し部分と接離する方向へ揺動させて適宜の長さに切断することができる。
【００１９】
第５発明に係るテープ切断具は、前記刃体を収容し、該刃体の刃部を隠蔽する収容部を有することを特徴とする。
第５発明にあっては、刃部の全体を隠蔽することができ、安全性をより一層高めることができる。
【００２０】
第６発明に係るテープ保持具は、粘着テープの環状のロールの内側に嵌入されるテープ保持具において、両端に前記ロールの内側に接触すべき接触部を有し、長手方向の中央部に軸部又は貫通孔を有する柱形をなしていることを特徴とする。
【００２１】
第６発明にあっては、環状のロールの周方向２個所を摘み、ロールを例えば略楕円形に変形させることにより、柱形をなすテープ保持具をロールの長軸側に嵌入することができ、ロールの摘みを解くことによるロールの復元により該ロールを保持することができる。
【発明の効果】
【００２２】
第１発明によれば、ロールの繰出し部分が引張られない非切断時には刃体を非剥き出しにすることができるため、不測に刃体に当たる危険性をなくすることができ、しかも、ロールの繰出し部分が繰出し方向と交差する方向へ引張られることにより、移動体及び刃体を移動させてロールの繰出し部分を適宜の長さに切断することができる。また、刃体を移動させて切断するため、テープの切断縁をテープの長手方向とほぼ直交する直線にすることができる。従って、切断されたテープの見栄えをよくすることができ、また、切断縁からテープを剥がすときにおいてもテープを破断させることなく容易に剥がし易い。
【００２３】
第２発明によれば、ロールの繰出し部分が切断された後、移動体及び刃体を連動して非切断位置へ自動的に復帰させることができるため、ロールの繰出し部分が引張られるだけの操作でテープを切断することができる。
【００２４】
第３発明によれば、ロールの繰出し部分が引張られることにより移動体が移動しつつ刃体が揺動するため、刃体の刃部の長さを比較的短くすることができる。                      
【００２５】
第４発明によれば、刃体を操作することなく粘着テープの繰出し部分を引張る操作を行うことにより繰出し部分と離反した位置から繰出し部分と接離する方向へ揺動させて適宜の長さに切断することができる。
【００２６】
第５発明によれば、刃部の全体を隠蔽することができ、安全性をより一層高めることができる。
【００２７】
第６発明によれば、環状のロールを摘みにより変形させた状態でテープ保持具をロールの内側に嵌入することができるため、内径が異なるロールであっても該ロールの保持力を高めることができ、ロールがテープ保持具から外れるのを防ぐことができる。
【発明を実施するための最良の形態】
【００２８】
以下本発明をその実施の形態を示す図面に基づいて詳述する。図１は本発明に係るテープ切断具の構成を示す斜視図、図２は要部の構成を示す平面図、図３は使用状態を示す斜視図、図４の(a) はテープ保持具の構成を示す斜視図、(b) はテープ保持具の構成を示す側面図、図５はテープ保持具をロールに保持するときの説明図である。
【００２９】
テープ切断具は、テープ保持具１に保持された粘着テープのロール２が回転自在に支持される支持部３ａを有する支持台３と、該支持台３の支持部３ａと離隔した位置に上下への移動を可能に設けられた移動体４と、該移動体４に対向するように配置され、移動体４に連動して揺動（移動）しつつロール２の繰出し部分２ａを切断する刃体５とを備える。
【００３０】
支持台３は、平面視矩形の底壁３１の長手方向一側で、且つ幅方向一側に立設された立上壁３２と、底壁３１の長手方向他側に立設された案内壁３３とを有しており、立上壁３２の高さ方向中途に支持部としての螺子孔３ａが設けられており、該螺子孔３ａに枢軸６が取外し可能に取着されている。案内壁３３は離隔して対向する一対の柱部３３ａ，３３ａと、該柱部３３ａ，３３ａの側方を覆い、柱部３３ａ，３３ａとの間を空洞の収容部３４とした覆部３３ｂとを有しており、収容部３４に移動体４及び刃体５が収容され、刃体５の刃部５ａを隠蔽し、非剥き出しとなるようにしてある。また、収容部３４の下側に枢軸７及び第１の係止部３５が設けられており、また、柱部３３ａ，３３ａの対向面にはその長手方向が上下となる一対の案内溝３６，３６が設けられている。
【００３１】
枢軸６は螺子を用いてなり、該螺子を弛緩することによりテープ保持具１を支持部３ａから取外すことができるようになっている。
【００３２】
移動体４は正面視矩形をなし、前後面間に刃体５の移動路４ａが設けられた板体からなり、繰出し部分２ａの粘着面側で前記繰出し部分２ａの厚さ方向へ直線移動が自在に配されており、該移動体４の上端に、ロール２の粘着面が接触する接触部４ｂが設けられ、ピンを用いてなる第１の連動連結部４ｃが下側に設けられている。また、移動体４の内側には案内溝３６，３６に直線移動が自在に嵌入される凸条４ｄが設けられている。
【００３３】
刃体５は刃部５ａの長手方向が繰出し部分２ａの厚さ方向となるように繰出し部分２ａの幅方向一側に配置され、収容部３４内で刃部５ａが隠蔽されている。また、刃体５は略Ｌ字形をなす帯板からなり、下側には枢支孔５ｂ及び該枢支孔５ｂと偏倚する第２の係止部５ｃが設けられており、枢軸７が枢支孔５ｂに嵌入されることにより収容部３４内で案内壁３３に枢支されている。また、刃体５は下側部片５ｄを第１の連動連結部４ｃに当接する第２の連動連結部５ｅとし、移動体４の直線移動に連動して刃体５を繰出し部分２ａと離反した位置から繰出し部分２ａ側へ揺動させるようにしてあり、また、上側端には指当片５ｆが折曲げにより形成されており、該指当片５ｆを指で押し操作することにより刃体５を揺動させることができるように構成されている。
【００３４】
この刃体５と移動体４とは、移動体４の下方への移動量と、刃体５の揺動による刃部５ａの下方への移動量とをほぼ等しくし、刃部５ａがロール２を切断開始する切断交点と切断終了する切断交点との間の距離を比較的短くし、刃部５ａの長さを短くすることができるように構成されている。第１及び第２の係止部３５，５ｃには付勢ばねとしてのコイルバネ８の両端が係止され、刃体５を繰出し部分２ａの幅方向一側、還元すれば図１の非切断側位置へ付勢し、コイルバネ８の付勢力が第２の連動連結部５ｅ及び第１の連動連結部４ｃを経て移動体４に加わり、該移動体４を上方へ復帰するように付勢している。
【００３５】
粘着テープのロール２は芯環に巻回されたセロファンテープ等の環状のロールを用いてなり、テープ保持具１に保持されている。
【００３６】
テープ保持具１は両端にロール２の内側に接触すべき接触部１ａ，１ａ及び該接触部１ａ，１ａの両側に突設された一対の抜止突起１ｂ，１ｂを有し、その長手方向中央部に貫通孔１ｃを有する四角柱形をなしており、貫通孔１ｃに挿入される枢軸６に枢支されている。また、接触部１ａ，１ａは幅方向の両側角部に設けられており、抜止突起１ｂ，１ｂは先端縁が湾曲している。
【００３７】
以上のように構成されたテープ切断具は、環状のロール２の周方向２個所を摘み、ロール２を略楕円形に変形させてテープ保持具１の接触部１ａ，１ａに外嵌することにより保持することができる。
【００３８】
ロール２の繰出し部分２ａを適宜の長さに切断して使用する場合、繰出し部分２ａを摘み、繰出し部分２ａを繰出し方向へ引張り、移動体４より外側へ繰出した状態で、繰出し部分２ａを繰出し方向と交差する下向き方向に引張ることにより移動体４が下方へ移動し、該移動体４の移動が第１及び第２の連動連結部４ｃ，５ｅを経て刃体５に伝動され、繰出し部分２ａの幅方向一側に配された刃体５が枢軸７を中心として繰出し部分２ａの幅方向へ揺動し、刃部５ａが繰出し部分２ａを切断する。このように繰出し部分２ａの幅方向一側に配された刃体５が揺動しつつ繰出し部分２ａを切断するため、繰出し部分２ａの切断縁をロールの長手方向とほぼ直交する直線にすることができ、切断されたテープの見栄えをよくすることができ、また、切断縁からテープを剥がすときにおいてもテープを破断させることなく容易に剥がし易い。
【００３９】
繰出し部分２ａが切断された場合、繰出し部分２ａに加えられていた引張力が解消するため、コイルバネ８の付勢力により移動体４及び刃体５が連動して繰出し部分２ａと離反する方向へ揺動し、非切断位置へ自動的に復帰する。従って、刃体５を非剥き出しとなる位置に隠蔽することができ、安全性を高めることができる。
【００４０】
尚、以上説明した実施の形態では、移動体４を上下方向へ移動可能とし、刃体５を横方向へ揺動可能としたが、その他、移動体４を横方向へ移動可能とし、刃体５を上下方向へ揺動可能としてもよい。また、刃体５は揺動可能とする他、直線的に移動可能としてもよい。
【００４１】
また、以上説明した実施の形態では支持台３の立上壁３２に取着される螺子を枢軸６とし、該枢軸６にテープ保持具１を枢支したが、その他、例えば支持台３の立上壁３２の上縁に支持溝を設け、該支持溝に、回転中心部に枢軸を有するテープ保持具１を挿入支持する構成としてもよい。
【００４２】
また、以上説明した実施の形態では四角柱形をなすテープ保持具１としたが、その他、円柱形をなす構成としてもよいて、また、長手方向中央部に軸部を有する円環形をなす構成としてもよく、テープ保持具１の構成は特に制限されない。また、実施の形態では長手方向の中央部に貫通孔１ｃを有する構成としたが、その他、長手方向の中央部に軸部を有する構成とし、該軸部が支持台３の支持部３ａに回転自在に支持される構成としてもよい。
【００４３】
また、移動体４及び刃体５を連動させる連動手段として第１及び第２の連動連結部４ｃ，５ｅを備える構成としたが、連動手段の構成は特に制限されるものでなく、ロール２の繰出し部分２ａが引張られることにより移動体４が移動するとき、該移動体４の移動に連動して刃体５が揺動（移動）、直線移動する機構であればよい。
【００４４】
また、刃体５を付勢し、該刃体５及び移動体４を連動して移動させる付勢ばねを備える構成としたが、その他、移動体４を付勢し、該移動体４及び刃体５を連動して移動させる付勢ばねを備える構成としてもよいし、また、刃体５及び移動体４を夫々別個に付勢する付勢ばねを備える構成としてもよい。
【図面の簡単な説明】
【００４５】
【図１】本発明に係るテープ切断具の構成を示す斜視図である。
【図２】本発明に係るテープ切断具の要部の構成を示す平面図である。
【図３】本発明に係るテープ切断具の使用状態を示す斜視図である。
【図４】本発明に係るテープ保持具の構成を示すもので、(a) は斜視図、(b) は側面図である。
【図５】本発明に係るテープ保持具をロールに保持するときの説明図である。
【符号の説明】
【００４６】
１ｃ  貫通孔
２    ロール
２ａ  繰出し部分
３ａ  支持部
３４  収容部
４    移動体
４ｃ  第１の連動連結部
５    刃体
５ａ  刃部
５ｅ  第２の連動連結部
８    コイルバネ（付勢ばね）
【図１】
2006289550.tif 000003
【図２】
2006289550.tif 000004
【図３】
2006289550.tif 000005
【図４】
2006289550.tif 000006
【図５】
2006289550.tif 000007